(57)【特許請求の範囲】
【請求項１】
所定の関係を有する複数の画像のうち表示画面内の一の範囲に表示される一の画像に対する拡大操作を検出する操作検出部と、
検出された前記拡大操作に基づいて前記画像内の表示領域を決定し、前記一の範囲に表示される前記複数の画像それぞれについて、前記表示領域に相当する部分を拡大して表示させるとともに、前記表示画面内の他の範囲に前記一の画像を表示させる表示制御部と、
を備える、表示制御装置。
【請求項２】
前記複数の画像は、並べてスクロール表示され、
前記表示制御部は、前記複数の画像のうち、前記拡大操作が検知された後のスクロール操作に応じて前記一の範囲に表示される前記画像についても前記表示領域に相当する部分を拡大して表示させる、請求項１に記載の表示制御装置。
【請求項３】
前記操作検出部は、前記表示領域を変更する変更操作をさらに検出し、
前記表示制御部は、前記一の範囲に表示される前記画像それぞれについて、前記変更操作に基づいて変更された前記表示領域内の前記画像が前記一の範囲に表示されるように前記複数の画像の表示を制御する、請求項１に記載の表示制御装置。
【請求項４】
前記変更操作は、前記表示領域を移動する移動操作を含み、
前記表示制御部は、前記一の範囲に表示される前記画像それぞれについて、前記移動操作に基づいて位置が変更された前記表示領域内の前記画像が前記一の範囲に表示されるように前記複数の画像の表示を制御する、請求項３に記載の表示制御装置。
【請求項５】
前記変更操作は、前記複数の画像のいずれかに対する縮小操作を含み、
前記表示制御部は、前記一の範囲に表示される前記画像それぞれについて、前記縮小操作に基づいて大きさが変更された前記表示領域内の前記画像が前記一の範囲に表示されるように前記複数の画像の表示を制御する、請求項３に記載の表示制御装置。
【請求項６】
拡大された前記複数の画像を、前記拡大操作前の前記複数の画像と異なるデータとして出力する出力部、
をさらに備える、請求項１に記載の表示制御装置。
【請求項７】
前記複数の画像は、１つの動画像コンテンツについての複数のサムネイル画像である、請求項１に記載の表示制御装置。
【請求項８】
前記複数の画像は、定点カメラにより撮像された複数の画像である、請求項１に記載の表示制御装置。
【請求項９】
所定の関係を有する複数の画像のうち表示画面内の一の範囲に表示される一の画像に対する拡大操作を検出することと、
検出された前記拡大操作に基づいて前記画像内の表示領域を決定し、前記一の範囲に表示される前記複数の画像それぞれについて、前記表示領域に相当する部分を拡大して表示させるとともに、前記表示画面内の他の範囲に前記一の画像を表示させることと、
を含む、表示制御方法。
【請求項１０】
コンピュータを、
所定の関係を有する複数の画像のうち表示画面内の一の範囲に表示される一の画像に対する拡大操作を検出する操作検出部と、
検出された前記拡大操作に基づいて前記画像内の表示領域を決定し、前記一の範囲に表示される前記複数の画像それぞれについて、前記表示領域に相当する部分を拡大して表示させるとともに、前記表示画面内の他の範囲に前記一の画像を表示させる表示制御部と、
を備える、表示制御装置として機能させるためのプログラム。
【発明の詳細な説明】
【技術分野】
【０００１】
本開示は、表示制御装置、表示制御方法、及びプログラムに関する。
【背景技術】
【０００２】
例えば動画像コンテンツの再生位置に対応する画像をサムネイル画像として時系列に表示するアプリケーションが提供されている。ユーザは、並べられた複数の画像の中から１つの画像を選択することによって、選択されたサムネイル画像と対応する再生位置からコンテンツを再生することができる（例えば特許文献１）。
【先行技術文献】
【特許文献】
【０００３】
【特許文献１】特開２００４−１０４３７３号公報
【発明の概要】
【発明が解決しようとする課題】
【０００４】
このように複数の画像の中から所望の画像を選択する場面において、ユーザが効率よく各画像の内容を把握するための方法が求められていた。
そこで、本開示では、複数の画像の内容を効率よく把握することのできる表示制御装置、表示制御方法、及びプログラムを提案する。
【課題を解決するための手段】
【０００５】
本開示によれば、所定の関係を有する複数の画像のうち表示画面内に表示される前記画像のいずれかに対する拡大操作を検出する操作検出部と、検出された前記拡大操作に基づいて前記画像の表示領域を決定し、前記表示画面内に表示される前記画像それぞれについて、前記表示領域に相当する部分を拡大して表示させる表示制御部とを備える、表示制御装置が提供される。
【０００６】
また、本開示によれば、所定の関係を有する複数の画像のうち表示画面内に表示される前記画像のいずれかに対する拡大操作を検出することと、検出された前記拡大操作に基づいて前記画像の表示領域を決定し、前記表示画面内に表示される前記画像それぞれについて、前記表示領域に相当する部分を拡大して表示させることと、を含む表示制御方法が提供される。
【０００７】
また、本開示によれば、コンピュータを、所定の関係を有する複数の画像のうち表示画面内に表示される前記画像のいずれかに対する拡大操作を検出する操作検出部と、検出された前記拡大操作に基づいて前記画像の表示領域を決定し、前記表示画面内に表示される前記画像それぞれについて、前記表示領域に相当する部分を拡大して表示させる表示制御部と、を備える表示制御装置として機能させるためのプログラムが提供される。
【発明の効果】
【０００８】
以上説明したように本開示によれば、複数の画像の内容を効率よく把握することのできる表示制御装置、表示制御方法、及びプログラムが提供される。
【図面の簡単な説明】
【０００９】
【図１】本開示の第１の実施形態にかかる表示制御装置の外観図である。
【図２】同実施形態にかかる表示制御装置の機能ブロック図である。
【図３】同実施形態にかかる表示制御装置が表示させる表示画面の一例を示す説明図である。
【図４】同実施形態にかかる表示制御装置が表示させる表示画面に対する操作の一例を示す説明図である。
【図５】図４の操作後の表示画面の一例を示す説明図である。
【図６】拡大操作の一例（ダブルタップ）を示す説明図である。
【図７】拡大及び縮小操作の一例（ピンチイン、ピンチアウト）を示す説明図である。
【図８】拡大操作（ピンチイン）をしたときの表示画面の一例を示す説明図である。
【図９】同実施形態にかかる表示制御装置が表示させるサムネイル画像に対する拡大操作について説明するための説明図である。
【図１０】拡大操作後に同実施形態にかかる表示制御装置が表示させる表示画面の一例を示す説明図である。
【図１１】拡大操作後にスクロール操作をしたときに同実施形態にかかる表示制御装置が表示させる表示画面の一例を示す説明図である。
【図１２】同実施形態にかかる表示制御装置が表示させる表示画面に対する表示領域移動操作について説明するための説明図である。
【図１３】図１２に示された表示領域の移動操作後に同実施形態にかかる表示制御装置が表示させる表示画面の一例を示す説明図である。
【図１４】防犯カメラの映像を表示させる場合の本実施形態にかかる表示制御装置が表示させる表示画面の一例を示す説明図である。
【図１５】図１４の表示画面に対して拡大操作を行った後に本実施形態にかかる表示制御装置が表示させる表示画面の一例を示す説明図である。
【図１６】本開示の第２の実施形態にかかる表示制御装置の機能ブロック図である。
【図１７】同実施形態にかかる表示制御装置の外観例を示す説明図である。
【図１８】本開示の第１及び第２の実施形態にかかる表示制御装置のハードウェア構成の一例を示すブロック図である。
【発明を実施するための形態】
【００１０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１１】
なお、説明は以下の順序で行うものとする。
１．第１の実施形態（タッチセンサによる入力操作に基づいた表示制御装置の例）
１−１．機能構成
１−２．表示制御
２．第２の実施形態（外部入力装置による入力操作に基づいた表示制御装置の例）
３．ハードウェア構成例
【００１２】
＜１．第１の実施形態＞
（１−１．構成）
まず、図１及び図２を参照しながら、本開示の第１の実施形態にかかる表示制御装置の構成について説明する。図１は、本開示の第１の実施形態にかかる表示制御装置の外観図である。図２は、同実施形態にかかる表示制御装置の機能ブロック図である。
【００１３】
本開示の第１の実施形態にかかる表示制御装置１０ａは、タッチセンサによる入力操作が可能な情報処理装置である。表示制御装置１０ａは、例えば携帯電話をはじめとし、携帯用音楽再生装置、携帯用映像処理装置、携帯用ゲーム機器、ＰＣ（Ｐｅｒｓｏｎａｌ  Ｃｏｍｐｕｔｅｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）などの情報処理装置であってよい。
【００１４】
表示制御装置１０ａの表面には表示部３０が設けられている。そして、この表示部３０に重畳してタッチセンサによる操作部２０が設けられている。また、表示制御装置１０ａは、このタッチセンサとは別にボタンなどによる操作部２０を合わせて有していてもよい。ユーザは、この表示部３０に表示させる表示画面に対して操作することにより所望の操作情報を表示制御装置１０ａに入力することができる。また表示制御装置１０ａは、入力された操作情報に基づいて表示画面の内容を制御することができる。表示制御装置１０ａは、所謂ＧＵＩ（Ｇｒａｐｈｉｃａｌ  Ｕｓｅｒ  Ｉｎｔｅｒｆａｃｅ）を利用して表示内容を制御することができる。
【００１５】
タッチセンサによる入力を行うとき、ユーザは、操作体Ｏにより表示部３０に表示された表示画面を操作することにより操作情報を入力することができる。操作体Ｏは、例えばユーザの指であってよい。または操作体Ｏは、スタイラスペンであってもよい。
【００１６】
次に図２を参照すると、表示制御装置１０ａは、操作部２０と、表示部３０と、操作検出部１０１と、表示制御部１０３と、記憶部１０５と、出力部１０７とを主に有する。
【００１７】
操作部２０は、例えばタッチセンサ、ボタン、撮像装置、マイク、スイッチ、及びレバーなどユーザが情報を入力するための操作手段と、ユーザによる操作に基づいて入力信号を生成して操作検出部１０１に出力する入力制御回路などから構成することができる。表示制御装置１０ａは、少なくともタッチセンサによる操作部２０を有する装置である。ここで用いられるタッチセンサは、画面に接触する操作体Ｏの位置を検知する接触式のタッチセンサであってよい。或いは、ここで用いられるタッチセンサは、画面上空の操作体の位置を検知する非接触式のタッチセンサであってもよい。
【００１８】
表示部３０は、例えば液晶ディスプレイ（ＬＣＤ：Ｌｉｑｕｉｄ  Ｃｒｙｓｔａｌ  Ｄｉｓｐｌａｙ）装置、有機ＥＬ（ＯＬＥＤ：Ｏｒｇａｎｉｃ  Ｌｉｇｈｔ  Ｅｍｉｔｔｉｎｇ  Ｄｉｏｄｅ）ディスプレイ装置などの表示装置であってよい。この表示部３０は、表示制御部１０３の制御に従って動作することにより表示画面をユーザに提供することができる。
【００１９】
操作検出部１０１は、操作部２０から入力される入力信号に基づいてユーザの入力する操作を検出する機能を有する。例えば操作検出部１０１は、所定の画像のうち画面上に表示する表示領域を設定及び変更する操作を検出することができる。例えば操作検出部１０１により検出される操作としては、選択操作、スクロール操作、拡大操作、縮小操作、及び表示領域の移動操作などが挙げられる。操作検出部１０１は、検出した操作の情報を表示制御部１０３に入力することができる。表示部３０に表示されている操作画面に対してユーザがタッチセンサによる操作をすると、操作部２０により操作検出部１０１に入力信号が入力される。操作検出部１０１は、この入力信号に基づいて操作体の位置を検出することができる。ユーザが操作する操作画面には、予めそれぞれの操作画面において入力することのできる操作と、操作により実行される動作とが対応付けられている。操作検出部１０１は、操作画面に対応づけられた操作の情報を参照し、操作体Ｏの検出された位置の遷移から入力された操作の種別を判断することができる。操作検出部１０１は、検出された操作の種別と操作位置などを含む操作情報を表示制御部１０３に入力することができる。
【００２０】
表示制御部１０３は、表示部３０の動作を制御する機能を有する。表示制御部１０３は、操作検出部１０１から入力される操作情報に基づいて表示部３０の動作を制御することができる。表示制御部１０３は、操作検出部１０１から入力される操作情報に基づいて、画像の表示領域を決定することができる。そして表示制御部１０３は、複数の画像のうち表示画面内に表示される画像それぞれについて、画像のうち設定された表示領域部分が表示画面内に表示されるように、複数の画像の表示を制御することができる。このとき表示制御部１０３は、画像の表示領域部分を拡大して表示画面内に表示させることができる。
【００２１】
記憶部１０５は、データ格納用の装置であり、記憶媒体、記憶媒体にデータを記録する記録装置、記憶媒体からデータを読み出す読出し装置、および記憶媒体に記録されたデータを削除する削除装置などを含むことができる。ここで記憶媒体としては、例えばフラッシュメモリ、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）、及びＥＥＰＲＯＭ（Electronically  Erasable  and  Programmable  Read  Only  Memory）などの不揮発性メモリや、ＨＤＤ（Ｈａｒｄ  Ｄｉｓｋ  Ｄｒｉｖｅ）などの磁気記録媒体などが用いられてよい。記憶部１０５は、例えば表示制御装置１０ａの動作を制御するためのプログラムや各種データを格納することができる。また、記憶部１０５は、出力部１０７により生成された拡大後の複数の画像を含むコンテンツデータを格納することができる。
【００２２】
出力部１０７は、操作検出部１０１から出力される操作情報に基づいて、拡大された複数の画像を元のデータ（拡大操作前の複数の画像）とは異なるデータとして出力する機能を有する。例えば出力部１０７は、表示画面中に表示されたボタンの押下が検出されると、当該ボタンが押下されたときの拡大された複数の画像を出力してもよい。このとき出力されるデータは、例えば表示領域部分を切り取って拡大された画像であってもよい。或いは、このとき出力されるデータは、表示領域の位置情報と画像とが対応づけられたデータであってもよい。出力部１０７は、次に複数の画像を表示させるときに、出力時と同じ表示領域が拡大して表示されるために必要な情報を含む形式で複数の画像を出力することができる。
【００２３】
以上、本実施形態に係る表示制御装置１０ａの機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ（Ｃｅｎｔｒａｌ  Ｐｒｏｃｅｓｓｉｎｇ  Ｕｎｉｔ）などの演算装置がこれらの機能を実現する処理手順を記述した制御プログラムを記憶したＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体から制御プログラムを読出し、そのプログラムを解釈して実行することにより行ってもよい。従って、本実施形態を実施する時々の技術レベルに応じて、適宜、利用する構成を変更することが可能である。
【００２４】
なお、上述のような本実施形態に係る表示制御装置１０ａの各機能を実現するためのコンピュータプログラムを作成し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００２５】
（１−２．表示制御）
次に、図３〜図１５を参照しながら、本実施形態における表示制御の具体例について説明する。図３は、同実施形態にかかる表示制御装置が表示させる表示画面の一例を示す説明図である。図４は、同実施形態にかかる表示制御装置が表示させる表示画面に対する操作の一例を示す説明図である。図５は、図４の操作後の表示画面の一例を示す説明図である。図６は、拡大操作の一例（ダブルタップ）を示す説明図である。図７は、拡大及び縮小操作の一例（ピンチイン、ピンチアウト）を示す説明図である。図８は、拡大操作（ピンチイン）をしたときの表示画面の一例を示す説明図である。図９は、同実施形態にかかる表示制御装置が表示させるサムネイル画像に対する拡大操作について説明するための説明図である。図１０は、拡大操作後に同実施形態にかかる表示制御装置が表示させる表示画面の一例を示す説明図である。図１１は、拡大操作後にスクロール操作をしたときに同実施形態にかかる表示制御装置が表示させる表示画面の一例を示す説明図である。図１２は、同実施形態にかかる表示制御装置が表示させる表示画面に対する表示領域移動操作について説明するための説明図である。図１３は、図１２に示された表示領域の移動操作後に同実施形態にかかる表示制御装置が表示させる表示画面の一例を示す説明図である。図１４は、防犯カメラの映像を表示させる場合の本実施形態にかかる表示制御装置が表示させる表示画面の一例を示す説明図である。図１５は、図１４の表示画面に対して拡大操作を行った後に本実施形態にかかる表示制御装置が表示させる表示画面の一例を示す説明図である。
【００２６】
まず、図３を参照すると、本実施形態にかかる表示制御装置１０が表示させる表示画面の一例が示される。ここでは、表示制御部１０３が、サッカーの試合を録画した動画コンテンツの複数のサムネイル画像をスクロール表示する表示画面３０２を表示させる例について説明する。
【００２７】
この表示画面３０２は、例えば第１の表示フィールド５１に複数のサムネイル画像ＴＩを含むことができる。なお図３においては、サムネイル画像ＴＩ−１〜ＴＩ−４までの４つの画像が表示されている。以下、サムネイル画像のそれぞれを必要に応じてサムネイル画像ＴＩ−１、サムネイル画像ＴＩ−２のように区別する場合もある。ただし、サムネイル画像のそれぞれを特に区別する必要がない場合、同一符号ＴＩのみを付する。例えば、サムネイル画像ＴＩ−１、サムネイル画像ＴＩ−２などを特に区別する必要がない場合には、単にサムネイル画像ＴＩと称する。このサムネイル画像ＴＩは、例えば５秒毎、３０秒毎、１分毎、２分毎、５分毎など所定の時間間隔毎の画像が表示されてもよい。或いは、サムネイル画像ＴＩは、それぞれのチャプタの開始時点の画像が表示されてもよい。例えばここでは１５秒毎のサムネイル画像ＴＩが表示される例が示される。なお、この第１の表示フィールド５１に表示されるサムネイル画像ＴＩは、静止画像であってもよいし、所定期間の動画像が繰返し再生されてもよい。例えば、第１の表示フィールド５１に表示されるサムネイル画像ＴＩのうち、画面の中心に近い位置に表示されるサムネイル画像ＴＩは動画像が表示され、その他のサムネイル画像は静止画像が表示されてもよい。
【００２８】
また、この表示画面３０２は、サムネイル画像ＴＩのいずれかを第１の表示フィールド５１に表示されるサムネイル画像ＴＩよりも大きく表示する第２の表示フィールド５３を含んでもよい。この第２の表示フィールド５３に表示される画像は、例えば、第１の表示フィールド５１に表示されているサムネイル画像ＴＩのうち、中心に近い位置に表示されているサムネイル画像ＴＩであってよい。この第２の表示フィールド５３に表示される画像は、第１の表示フィールド５１中に表示されるサムネイル画像が変化すると、この変化に応動して変化してもよい。またこの表示画面３０２は、サムネイル画像ＴＩの表示をスクロールさせるためのスクロールバーを含んでもよい。
【００２９】
次に図４及び図５を参照すると、スクロール操作の様子が描かれている。図４に示されるように、表示画面３０２に含まれるスクロールバーのスライダＳＬを選択したまま移動させる、所謂ドラッグ操作を行った後、図５に示されるように移動先でスライダＳＬを離す、所謂ドロップ操作をすることによって、スクロール操作はなされてもよい。
【００３０】
ここで、ユーザによりなされる拡大操作について図６〜図８を参照しながら説明する。図６は、拡大操作の第１の例が示される。例えばユーザは、表示制御装置１０ａの操作画面上を突くタップ操作を２回連続で行うダブルタップ操作により、所望の箇所を拡大表示させることができる。例えばこのとき表示制御部１０３は、ダブルタップ操作のタッチポイントを中心として所定の拡大率で表示されるように制御してもよい。
【００３１】
或いは、図７のＡに示されるように、ユーザが２本の指による２つのタッチポイントの間隔を狭める操作（ピンチアウト操作）を行うと、表示制御部１０３は、表示画面を縮小して表示することができる。このとき表示制御部１０３は、このタッチポイントの位置に基づいて縮小後の表示領域の位置を決定し、タッチポイントの間隔の変化する量に応じて縮小率を決定することができる。また、図７のＢに示されるように、ユーザが２本の指による２つのタッチポイントの間隔を広げる操作（ピンチイン操作）を行うと、表示制御部１０３は、表示画面を拡大して表示することができる。このとき表示制御部１０３は、このタッチポイントの位置に基づいて拡大後の表示領域の位置を決定し、タッチポイントの間隔の変化する量に応じて拡大率を決定することができる。
【００３２】
例えば、図８には拡大操作前後の様子が描かれている。ここで示されるように、表示制御部１０３は、タッチポイントの位置とタッチポイントの間隔が変化する量とに基づいて決定された表示領域の画像を拡大して表示することができる。
【００３３】
ここで、再び図３の表示画面３０２に戻る。この表示画面３０２中の、第１の表示フィールド５１に表示されたサムネイル画像ＴＩのうちのいずれか（ここではサムネイル画像ＴＩ−１）に対してユーザが拡大操作を行うとする。例えばこの拡大操作は、図９に示されるように第１の表示フィールド５１に表示されたサムネイル画像ＴＩ−１に対してピンチイン操作を行うことにより行われてよい。このピンチイン操作に基づいて、表示制御部１０３は、表示領域ＤＡを決定する。
【００３４】
この拡大操作が行われた後の表示画面３０８が図１０に示される。この表示画面３０８においては、第１の表示フィールド５１に表示されるサムネイル画像ＴＩは、表示領域に相当する部分が拡大して表示される。この表示領域は、上述の通りサムネイル画像ＴＩ−１のうち、拡大操作に基づいて決定された部分である。ここで第１の表示フィールド５１中の１つの画像を表示するための領域のサイズは、所定の値である。表示制御部１０３は、表示領域ＤＡ部分のサイズが上記所定のサイズとなるように、サムネイル画像ＴＩの一部を拡大して表示させることができる。また表示制御部１０３は、サムネイル画像ＴＩ−２、サムネイル画像ＴＩ−３、及びサムネイル画像ＴＩ−４については、サムネイル画像ＴＩ−１について決定された表示領域ＤＡに相当する部分をそれぞれ拡大して表示させることができる。
【００３５】
従って、ユーザが表示画面内に表示されるサムネイル画像ＴＩのうちのいずれか、例えばサムネイル画像ＴＩ−１に対して拡大操作を行うと、拡大操作を行ったサムネイル画像ＴＩ−１は、拡大操作に基づいて決められた表示領域が表示されるように拡大される。さらに、サムネイル画像ＴＩ−２、サムネイル画像ＴＩ−３、及びサムネイル画像ＴＩ−４についてもサムネイル画像ＴＩ−１の表示領域と対応する部分が拡大して表示される。
【００３６】
また、第２の表示フィールド５３に表示される画像上に表示領域ＤＡが重ねて表示されてよい。かかる表示により、ユーザは、現時点において画像中のどの部分が拡大されているかを把握することができる。
【００３７】
さらにこの拡大操作後の表示画面３０８に対して、第１の表示フィールド５１の表示をスクロール操作した後の表示画面３１０が図１１に示される。表示制御部１０３は、このスクロール操作に応じて表示画面内に新たに表示されるようになったサムネイル画像ＴＩ−５についても、サムネイル画像ＴＩ−１の表示領域に対応する部分が拡大して表示されるように表示を制御する。
【００３８】
さらにユーザは、表示領域ＤＡを変更する操作、例えば移動操作を行うことができる。図１２を参照すると、ユーザは、第２の表示フィールド５３に表示された画像上の表示領域ＤＡ部分をドラッグアンドドロップ操作することにより、この表示領域ＤＡを移動させることができる。ユーザが移動操作を行うと、図１３に示されるように、移動後の表示領域ＤＡ部分が拡大されたサムネイル画像ＴＩが第１の表示フィールド５１に表示される。なお、表示領域ＤＡを変更する他の例としては、さらなる拡大操作、及び縮小操作などが挙げられる。
【００３９】
以上説明したように、本実施形態にかかる表示制御装置１０ａによれば、ユーザが表示されている画像のうちのいずれかに対して拡大操作を行うと、表示されている複数の画像についてそれぞれ拡大操作を行うことなく、対応する表示領域ＤＡの部分が拡大して表示される。また、このとき表示画面内の第１の表示フィールド５１には、コンテンツに含まれる複数のサムネイル画像ＴＩのうちの一部が表示されている。コンテンツに含まれる複数のサムネイル画像ＴＩのうち、表示されるサムネイル画像ＴＩを変更する操作が行われた場合に、この操作に応じて新たに表示されるサムネイル画像ＴＩもまた、表示領域ＤＡと対応する部分が拡大して表示される。表示されるサムネイル画像ＴＩを変更する操作の例としては、図１１において説明されたスクロール操作の他に、サムネイル画像ＴＩの抽出条件を変更する操作が挙げられる。例えば１５秒毎のサムネイル画像ＴＩが表示されている状態で、１分毎のサムネイル画像ＴＩが表示されるように変更操作を行った場合には、この変更操作に応じて新たに表示されるようになったサムネイル画像ＴＩについても、表示領域ＤＡと対応する部分が拡大して表示される。
【００４０】
従ってユーザは、複数のサムネイル画像ＴＩについて、１度の拡大操作によりそれぞれのサムネイル画像ＴＩの同じ箇所を拡大することができる。従って、ここで挙げた例のように、サッカーの試合を録画した番組において、得点表示部分を拡大して表示させることにより効率よく得点が変化した部分を探すことができるようになる。
【００４１】
このように複数の画像の中から所望の画像を探すときに、画像中の同じ箇所を注目して見たい場合がある。例えば画像中の同じ箇所を注目して見たい場合の他の例としては、定点カメラの映像などが挙げられる。
【００４２】
ここで図１４及び図１５を参照しながら、定点カメラの映像、ここでは監視カメラの映像を本実施形態にかかる表示制御装置１０ａが表示させる場合について説明する。このように監視カメラによって継続的に撮影されている金庫に異変があった場合を想定する。金庫に異変のあった時点を特定したい場合には、金庫周辺部分に注目して監視カメラの画像を確認したいという要求がある。このとき上述の表示制御装置１０ａを用いれば、図１４の表示画面３１６に対して拡大操作を行うことによって、拡大後の表示画面３１８は、図１５に示されるように第１の表示フィールド５１に拡大された複数のサムネイル画像ＴＩが表示される。またこの表示画面３１８は、拡大後のデータを保存するためのボタンＢ１を含んでいてもよい。ユーザはこのボタンＢ１を操作することによって、操作した時点の表示領域部分のデータを元のデータとは別のデータとして保存することができる。なお、ここではボタンＢ１を表示する例について記載したが、本技術はかかる例に限定されない。その他の操作が拡大画像の保存動作と対応づけられていてもよい。例えばその他の操作の例としては、表示制御装置１０ａ本体に設けられたボタンの押下、表示制御装置１０ａ本体に設けられたボタンの押下により表示されるメニューの選択などが挙げられる。
【００４３】
＜２．第２の実施形態＞
次に、外部入力装置による入力操作に基づいて表示を制御する表示制御装置について、図１６及び図１７を参照しながら説明する。図１６は、本開示の第２の実施形態にかかる表示制御装置の機能ブロック図である。図１７は、同実施形態にかかる表示制御装置の外観例を示す説明図である。
【００４４】
ここで説明する本開示の第２の実施形態にかかる表示制御装置１０ｂは、操作検出部１０１と、表示制御部１０３と、記憶部１０５と、出力部１０７とを主に有する。この第２の実施形態にかかる表示制御装置１０ｂは、第１の実施形態にかかる表示制御装置１０ａと比較すると、操作部２０及び表示部３０を有さない点において異なる。
【００４５】
例えば図１６に示されるような機能構成を有する表示制御装置１０ｂは、図１７に示されるデスクトップ型ＰＣのような情報処理装置である。この場合には、表示制御装置１０ｂであるＰＣ本体に接続された、ディスプレイ、キーボード、マウスのうち、ディスプレイは表示部３０であり、キーボード及びマウスが操作部２０である。表示制御装置１０ｂは、ＰＣに限られない。例えば表示制御装置１０ｂは、ゲーム機であってよい。この場合操作部２０はゲーム機のコントローラである。
【００４６】
なおここで示される各部の機能については、本開示の第１の実施形態にかかる表示制御装置１０ａと同様であるためここでは説明が省略される。また、第１の実施形態にかかる表示制御装置１０ａは、操作体Ｏにより操作された画面上の位置を検出してこの操作体の位置に基づいて操作情報を検出したが、表示制御装置１０ｂは、例えばマウスにより画面上のポインタの位置を操作することにより、このポインタの位置情報に基づいて操作情報を検出することができる。
【００４７】
以上、本実施形態に係る表示制御装置１０ｂの機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ（Ｃｅｎｔｒａｌ  Ｐｒｏｃｅｓｓｉｎｇ  Ｕｎｉｔ）などの演算装置がこれらの機能を実現する処理手順を記述した制御プログラムを記憶したＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体から制御プログラムを読出し、そのプログラムを解釈して実行することにより行ってもよい。従って、本実施形態を実施する時々の技術レベルに応じて、適宜、利用する構成を変更することが可能である。
【００４８】
なお、上述のような本実施形態に係る表示制御装置１０ｂの各機能を実現するためのコンピュータプログラムを作成し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００４９】
なお、上記実施形態においては、第１の実施形態で操作部２０及び表示部３０を内蔵する表示制御装置１０ａが説明された。また第２の実施形態で外部の操作部２０及び表示部３０と接続する表示制御装置１０ｂが説明された。しかし、本技術はかかる例のみならず様々な形態の情報処理装置に適用することができる。例えば操作部２０と表示部３０とのうちいずれかが内蔵されており、いずれかが外付けの構成であってもよい。
【００５０】
＜３．ハードウェア構成例＞
次に、上述した本開示の第１及び第２の実施形態にかかる表示制御装置１０のハードウェア構成の一例について、図１８を参照しながら説明する。図１８は、本開示の第１及び第２の実施形態にかかる表示制御装置のハードウェア構成の一例を示すブロック図である。
【００５１】
上記の表示制御装置１０が有する各構成要素の機能は、例えば、図１８に示すハードウェア構成を用いて実現することが可能である。つまり、当該各構成要素の機能は、コンピュータプログラムを用いて図１８に示すハードウェアを制御することにより実現される。なお、このハードウェアの形態は任意であり、例えば、パーソナルコンピュータ、携帯電話、ＰＨＳ、ＰＤＡ等の携帯情報端末、ゲーム機、又は種々の情報家電がこれに含まれる。但し、上記のＰＨＳは、Ｐｅｒｓｏｎａｌ  Ｈａｎｄｙ−ｐｈｏｎｅ  Ｓｙｓｔｅｍの略である。また、上記のＰＤＡは、Ｐｅｒｓｏｎａｌ  Ｄｉｇｉｔａｌ  Ａｓｓｉｓｔａｎｔの略である。
【００５２】
図１８に示すように、このハードウェアは、主に、ＣＰＵ９０２と、ＲＯＭ９０４と、ＲＡＭ９０６と、ホストバス９０８と、ブリッジ９１０と、を有する。さらに、このハードウェアは、外部バス９１２と、インターフェース９１４と、入力部９１６と、出力部９１８と、記憶部９２０と、ドライブ９２２と、接続ポート９２４と、通信部９２６と、を有する。但し、上記のＣＰＵは、Ｃｅｎｔｒａｌ  Ｐｒｏｃｅｓｓｉｎｇ  Ｕｎｉｔの略である。また、上記のＲＯＭは、Ｒｅａｄ  Ｏｎｌｙ  Ｍｅｍｏｒｙの略である。そして、上記のＲＡＭは、Ｒａｎｄｏｍ  Ａｃｃｅｓｓ  Ｍｅｍｏｒｙの略である。
【００５３】
ＣＰＵ９０２は、例えば、演算処理装置又は制御装置として機能し、ＲＯＭ９０４、ＲＡＭ９０６、記憶部９２０、又はリムーバブル記録媒体９２８に記録された各種プログラムに基づいて各構成要素の動作全般又はその一部を制御する。ＲＯＭ９０４は、ＣＰＵ９０２に読み込まれるプログラムや演算に用いるデータ等を格納する手段である。ＲＡＭ９０６には、例えば、ＣＰＵ９０２に読み込まれるプログラムや、そのプログラムを実行する際に適宜変化する各種パラメータ等が一時的又は永続的に格納される。
【００５４】
これらの構成要素は、例えば、高速なデータ伝送が可能なホストバス９０８を介して相互に接続される。一方、ホストバス９０８は、例えば、ブリッジ９１０を介して比較的データ伝送速度が低速な外部バス９１２に接続される。また、入力部９１６としては、例えば、マウス、キーボード、タッチパネル、ボタン、スイッチ、及びレバー等が用いられる。さらに、入力部９１６としては、赤外線やその他の電波を利用して制御信号を送信することが可能なリモートコントローラ（以下、リモコン）が用いられることもある。
【００５５】
出力部９１８としては、例えば、ＣＲＴ、ＬＣＤ、ＰＤＰ、又はＥＬＤ等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。但し、上記のＣＲＴは、Ｃａｔｈｏｄｅ  Ｒａｙ  Ｔｕｂｅの略である。また、上記のＬＣＤは、Ｌｉｑｕｉｄ  Ｃｒｙｓｔａｌ  Ｄｉｓｐｌａｙの略である。そして、上記のＰＤＰは、Ｐｌａｓｍａ  ＤｉｓｐｌａｙＰａｎｅｌの略である。さらに、上記のＥＬＤは、Ｅｌｅｃｔｒｏ−Ｌｕｍｉｎｅｓｃｅｎｃｅ  Ｄｉｓｐｌａｙの略である。
【００５６】
記憶部９２０は、各種のデータを格納するための装置である。記憶部９２０としては、例えば、ハードディスクドライブ（ＨＤＤ）等の磁気記憶デバイス、半導体記憶デバイス、光記憶デバイス、又は光磁気記憶デバイス等が用いられる。但し、上記のＨＤＤは、Ｈａｒｄ  Ｄｉｓｋ  Ｄｒｉｖｅの略である。
【００５７】
ドライブ９２２は、例えば、磁気ディスク、光ディスク、光磁気ディスク、又は半導体メモリ等のリムーバブル記録媒体９２８に記録された情報を読み出し、又はリムーバブル記録媒体９２８に情報を書き込む装置である。リムーバブル記録媒体９２８は、例えば、ＤＶＤメディア、Ｂｌｕ−ｒａｙメディア、ＨＤ  ＤＶＤメディア、各種の半導体記憶メディア等である。もちろん、リムーバブル記録媒体９２８は、例えば、非接触型ＩＣチップを搭載したＩＣカード、又は電子機器等であってもよい。但し、上記のＩＣは、Ｉｎｔｅｇｒａｔｅｄ  Ｃｉｒｃｕｉｔの略である。
【００５８】
接続ポート９２４は、例えば、ＵＳＢポート、ＩＥＥＥ１３９４ポート、ＳＣＳＩ、ＲＳ−２３２Ｃポート、又は光オーディオ端子等のような外部接続機器９３０を接続するためのポートである。外部接続機器９３０は、例えば、プリンタ、携帯音楽プレーヤ、デジタルカメラ、デジタルビデオカメラ、又はＩＣレコーダ等である。但し、上記のＵＳＢは、Ｕｎｉｖｅｒｓａｌ  Ｓｅｒｉａｌ  Ｂｕｓの略である。また、上記のＳＣＳＩは、Ｓｍａｌｌ  Ｃｏｍｐｕｔｅｒ  Ｓｙｓｔｅｍ  Ｉｎｔｅｒｆａｃｅの略である。
【００５９】
通信部９２６は、ネットワーク９３２に接続するための通信デバイスであり、例えば、有線又は無線ＬＡＮ、Ｂｌｕｅｔｏｏｔｈ（登録商標）、又はＷＵＳＢ用の通信カード、光通信用のルータ、ＡＤＳＬ用のルータ、又は各種通信用のモデム等である。また、通信部９２６に接続されるネットワーク９３２は、有線又は無線により接続されたネットワークにより構成され、例えば、インターネット、家庭内ＬＡＮ、赤外線通信、可視光通信、放送、又は衛星通信等である。但し、上記のＬＡＮは、Ｌｏｃａｌ  Ａｒｅａ  Ｎｅｔｗｏｒｋの略である。また、上記のＷＵＳＢは、Ｗｉｒｅｌｅｓｓ  ＵＳＢの略である。そして、上記のＡＤＳＬは、Ａｓｙｍｍｅｔｒｉｃ  Ｄｉｇｉｔａｌ  Ｓｕｂｓｃｒｉｂｅｒ  Ｌｉｎｅの略である。
【００６０】
なお、ここで説明したハードウェア構成は一例である。表示制御装置１０は、図１８に示す構成の一部が省略された構成であってもよい。また表示制御装置１０は、図１８に含まれない構成をさらに有する構成であってもよい。或いは表示制御装置１０は、図１８に示される構成の一部を他の構成で置き換えたものであってもよいことは言うまでもない。
【００６１】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００６２】
例えば、上記実施形態においては、所定の関係を有する複数の画像の一例として、１つの動画像コンテンツのサムネイル画像、及び、定点カメラの動画像についてのサムネイル画像が挙げられたが、本技術はかかる例に限定されない。例えば、所定の関係を有する複数の画像は、同じテーマに沿って集められた複数の画像であってもよい。
【００６３】
なお、以下のような構成も本開示の技術的範囲に属する。
（１）
所定の関係を有する複数の画像のうち表示画面内に表示される前記画像のいずれかに対する拡大操作を検出する操作検出部と、
検出された前記拡大操作に基づいて前記画像の表示領域を決定し、前記表示画面内に表示される前記画像それぞれについて、前記表示領域に相当する部分を拡大して表示させる表示制御部と、
を備える、表示制御装置。
（２）
前記複数の画像は、並べてスクロール表示され、
前記表示制御部は、前記複数の画像のうち、前記拡大操作が検知された後のスクロール操作に応じて前記表示画面内に表示される前記画像についても前記表示領域に相当する部分を拡大して表示させる、前記（１）に記載の表示制御装置。
（３）
前記操作検出部は、前記表示領域を変更する変更操作をさらに検出し、
前記表示制御部は、前記表示画面内に表示される前記画像それぞれについて、前記変更操作に基づいて変更された前記表示領域内の前記画像が前記表示画面内に表示されるように前記複数の画像の表示を制御する、前記（１）または（２）のいずれか１項に記載の表示制御装置。
（４）
前記変更操作は、前記表示領域を移動する移動操作を含み、
前記表示制御部は、前記表示画面内に表示される前記画像それぞれについて、前記移動操作に基づいて位置が変更された前記表示領域内の前記画像が前記表示画面内に表示されるように前記複数の画像の表示を制御する、前記（３）に記載の表示制御装置。
（５）
前記変更操作は、前記複数の画像のいずれかに対する縮小操作を含み、
前記表示制御部は、前記表示画面内に表示される前記画像それぞれについて、前記縮小操作に基づいて大きさが変更された前記表示領域内の前記画像が前記表示画面内に表示されるように前記複数の画像の表示を制御する、前記（３）または（４）のいずれかに記載の表示制御装置。
（６）
拡大された前記複数の画像を、前記拡大操作前の前記複数の画像と異なるデータとして出力する出力部、
をさらに備える、前記（１）から（５）のいずれか１項に記載の表示制御装置。
（７）
前記複数の画像は、１つの動画像コンテンツについての複数のサムネイル画像である、前記（１）から（６）のいずれか１項に記載の表示制御装置。
（８）
前記複数の画像は、定点カメラにより撮像された複数の画像である、前記（１）から（７）のいずれか１項に記載の表示制御装置。
（９）
所定の関係を有する複数の画像のうち表示画面内に表示される前記画像のいずれかに対する拡大操作を検出することと、
検出された前記拡大操作に基づいて前記画像の表示領域を決定し、前記表示画面内に表示される前記画像それぞれについて、前記表示領域に相当する部分を拡大して表示させることと、
を含む、表示制御方法。
（１０）
コンピュータを、
所定の関係を有する複数の画像のうち表示画面内に表示される前記画像のいずれかに対する拡大操作を検出する操作検出部と、
検出された前記拡大操作に基づいて前記画像の表示領域を決定し、前記表示画面内に表示される前記画像それぞれについて、前記表示領域に相当する部分を拡大して表示させる表示制御部と、
を備える、表示制御装置として機能させるためのプログラム。
【符号の説明】
【００６４】
１０，１０ａ，１０ｂ    表示制御装置
２０                    操作部
３０                    表示部
１０１                  操作検出部
１０３                  表示制御部
１０５                  記憶部
１０７                  出力部
【図１】
0005751030.tif 000002
【図２】
0005751030.tif 000003
【図３】
0005751030.tif 000004
【図４】
0005751030.tif 000005
【図５】
0005751030.tif 000006
【図６】
0005751030.tif 000007
【図７】
0005751030.tif 000008
【図８】
0005751030.tif 000009
【図９】
0005751030.tif 000010
【図１０】
0005751030.tif 000011
【図１１】
0005751030.tif 000012
【図１２】
0005751030.tif 000013
【図１３】
0005751030.tif 000014
【図１４】
0005751030.tif 000015
【図１５】
0005751030.tif 000016
【図１６】
0005751030.tif 000017
【図１７】
0005751030.tif 000018
【図１８】
0005751030.tif 000019